(57)【要約】【課題】  バスレフポートのような管体から発生する異音を低減するための技術的手段を提供する。【解決手段】  バスレフポート２０は、中空の略円筒形状の管体であり、断面積が一定であるストレート部２２と、その両端側のフレア部２４および２５とに区分することができる。フレア部２４は、ストレート部２２とフレア部２４の境界近傍から開口端２８に近づくに従って断面積が徐々に広がり、かつ、内壁の曲率を内周方向に沿って繰り返し増減させ、開口端２８近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されている形状をなしている。【選択図】図２
2014179934.tif 000002
【特許請求の範囲】
【請求項１】
気体の流路をなす管体であって、当該管体の内壁により囲まれた空間の管軸に垂直な断面の面積が当該管体の開口端に近づくに従って徐々に広がり、当該開口端近傍の内壁の曲率を内周方向に沿って繰り返し増減させ、当該開口端近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されていることを特徴とする管体。
【請求項２】
両端が開口し、スピーカのエンクロージャの内外の気体の流路をなすバスレフポートであって、当該バスレフポートの内壁により囲まれた空間の管軸に垂直な断面の面積が当該バスレフポートの開口端に近づくに従って徐々に広がり、一方の開口端を前記エンクロージャのバッフル板に設けられた開口部に固定させて開口させ、前記バッフル板に設けられた開口部に固定された開口端近傍または前記バッフル板に設けられた開口部に固定された開口端に対して反対側の開口端近傍または両開口端近傍の内壁の曲率を内周方向に沿って繰り返し増減させ、当該開口端近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されていることを特徴とするバスレフポート。
【請求項３】
開口部を有する筐体と、
前記筐体の内側に配置され、両端が開口し、一方の開口端が前記筐体の開口部に固定されて前記筐体の内外の気体の流路をなす管体であって、当該管体の内壁により囲まれた空間の管軸に垂直な断面の面積が当該管体の開口端に近づくに従って徐々に広がり、前記筐体に設けられた開口部に固定された開口端近傍または前記筐体に設けられた開口部に固定された開口端に対して反対側の開口端近傍または両開口端近傍の内壁の曲率を内周方向に沿って繰り返し増減させ、当該開口端近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されている管体と
を具備することを特徴とする音響装置。
【発明の詳細な説明】
【技術分野】
【０００１】
この発明は、管体、バスレフポートおよびバスレフスピーカ等の音響装置に関する。
【背景技術】
【０００２】
スピーカユニットの背面からの音を積極的に利用して低音を増強するバスレフスピーカ等の音響装置がある（例えば特許文献１）。バスレフスピーカ等の音響装置は、その音響装置のエンクロージャ（筐体）にスピーカユニットとバスレフポートとを備えている。バスレフポートは、両端が開口しており、スピーカのエンクロージャに設けられた開口部に一開口端が固定された管体により構成される。この音響装置では、エンクロージャの外部の気体がバスレフポートを介してエンクロージャの内部に吸引され、エンクロージャの内部の気体がバスレフポートを介してエンクロージャの外部に吐出される。
【０００３】
図７は、従来のバスレフポートを有する音響装置のバスレフポート部分の構造を示す断面図である。図７（ａ）に示すように、従来のバスレフポート２０Ａの断面形状は、バスレフポート２０Ａの一端から他端にかけて一定であり、バスレフポート２０Ａの内壁は、バッフル面と直交している。この形状のバスレフポート２０Ａを有する音響装置では、バスレフポート２０Ａにおける気体の吸引および吐出に起因する異音（いわゆる風切り音）がバスレフポート２０Ａから発生していた。そこで、従来では、図７（ｂ）に示すように、バスレフポート２０Ｂの両端付近の形状を、バスレフポート２０Ｂを介した気体の流路、すなわち、バスレフポート２０Ｂの内壁により囲まれた空間がバスレフポート２０Ｂの中央側から両端に進むに従って放射状に徐々に広がるフレア形状とすることで、バスレフポート２０Ｂから発生する異音を低減していた。
【先行技術文献】
【特許文献】
【０００４】
【特許文献１】特開２０１２−１６１１０９号公報
【発明の概要】
【発明が解決しようとする課題】
【０００５】
しかしながら、スピーカユニットに供給する信号レベルを大きくしてバスレフポートに供給する音波の音圧を大きくすると、バスレフポートの両端近傍をフレア形状としてもバスレフポートから異音が発生する、という問題がある。
【０００６】
この発明は以上のような事情に鑑みてなされたものであり、バスレフポートのような管体から発生する異音を低減するための技術的手段を提供することを目的としている。
【課題を解決するための手段】
【０００７】
この発明は、気体の流路をなす管体であって、当該管体の内壁により囲まれた空間の管軸に垂直な断面の面積が当該管体の開口端に近づくに従って徐々に広がり、当該開口端近傍の内壁の曲率を内周方向に沿って繰り返し増減させ、当該開口端近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されていることを特徴とする管体を提供する。
【０００８】
この発明によれば、管体の内壁により囲まれた空間の管軸に垂直な断面の面積が当該管体の開口端に近づくに従って徐々に広がり、管体の開口端近傍の内壁の曲率を内周方向に沿って繰り返し増減させ、当該開口端近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されていることで、管体を介して管体内外に気体が流れるときに管体から発生する異音を低減することができる。
【図面の簡単な説明】
【０００９】
【図１】この発明の一実施形態である音響装置１の構成を示す断面図である。
【図２】同音響装置１のエンクロージャ１０の内部からバスレフポート２０のフレア部２４を見た斜視図および正面図である。
【図３】バスレフポートの両端近傍をフレア形状とした従来のバスレフポートについて気体の流れの乱れの大きさをシミュレートした結果を示す図である。
【図４】同音響装置１のバスレフポート２０の開口端２８近傍の気体の流れを示す斜視図である。
【図５】従来のバスレフポート２０Ｂの開口端２８Ｂ近傍の内壁における気体の流れについて説明する図である。
【図６】同音響装置１のバスレフポート２０の開口端２８近傍の内壁における気体の流れについて説明する図である。
【図７】従来の音響装置のバスレフポート部分の構造を示す断面図である。
【発明を実施するための形態】
【００１０】
以下、図面を参照し、この発明の実施形態について説明する。
＜実施形態＞
図１は、この発明の一実施形態による音響装置１の構成を示す断面図である。図１に示すように、音響装置１は、エンクロージャ１０、スピーカユニットＳＰおよびバスレフポート２０を有している。そして、バスレフポート２０およびエンクロージャ１０は、音響装置１の出力特性において音圧がフラットな帯域の下限周波数付近に共鳴周波数を有するヘルムホルツ共鳴器を構成している。
【００１１】
エンクロージャ１０は、６枚の面により囲まれた直方体であり、エンクロージャ１０を囲む６面のうちバッフル面として機能する前面１１には、２個の開口部１８および２１が設けられている。そして、開口部１８にはスピーカユニットＳＰが設けられている。
【００１２】
バスレフポート２０は、中空の略円筒形状の管体であり、断面積（バスレフポート２０の内壁により囲まれた空間の管軸に垂直な断面の面積）が管軸方向に一定であるストレート部２２と、その両端側のフレア部２４および２５とに区分することができる。フレア部２５は、ストレート部２２とフレア部２５との境界近傍から開口端２９に近づくに従って断面積が徐々に広がるフレア形状をなしている。また、バスレフポート２０のフレア部２５側の開口端２９は、バッフル面として機能する前面１１の開口部２１に固定されている。
【００１３】
図２（ａ）は、音響装置１のエンクロージャ１０の内部からバスレフポート２０のフレア部２４を見た斜視図であり、図２（ｂ）は、同フレア部２４側の開口端２８の正面図である。図２（ａ）および（ｂ）に示すように、フレア部２４は、例えるとヒルガオやサツマイモの花等の漏斗状花冠のような形状（以下、単に花冠形状という）をなしている。より詳細に説明すると、フレア部２４は、ストレート部２２とフレア部２４の境界近傍から開口端２８に近づくに従って断面積が徐々に広がり、かつ、内壁の曲率をフレア部２４の管軸廻りの内周方向に沿って繰り返し増減させた形状をなしている。そして、開口端２８近傍の管軸に垂直な断面における内壁の曲率中心が当該内壁からみて管軸側に位置する部分と、同内壁の曲率中心が当該内壁からみて管軸に対して反対の側に位置する部分とが当該内壁の内周方向に沿って繰り返されている。換言すると、開口端２８近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されている。また、上述したように管軸から内壁をみたときに、内壁が凸状となっている部分の内壁の内周方向に沿った曲率は正の曲率であるとし、同内壁が凹状となっている部分の内壁の内周方向に沿った曲率は負の曲率であるとした場合、内壁の内周方向に沿った曲率は正の曲率と負の曲率とが繰り返されている、と表現することもできる。なお、内周方向に沿った内壁の曲率の値は、バスレフポート２０の寸法毎に個別にシミュレーション等により決定される。
【００１４】
なお、フレア部２４および２５は、ストレート部２２とともに一体として製造されたものであっても良いし、製造時にはストレート部２２と別体であって、製造後にストレート部２２に固定されたものであっても良い。
以上が、音響装置１の構造である。
【００１５】
図３は、従来のバスレフポートについて気体の流れの乱れ（渦）の大きさをシミュレートした結果を示す縦断面図である。図３に示すシミュレーション結果によると、バスレフポートの外側端（エンクロージャの外部に面している開口端）の近傍では、気体の流れの乱れ（渦）が広い範囲において発生している一方、バスレフポートの内側端（エンクロージャの内部に位置する開口端）では、気体の流れの乱れ（渦）が狭い範囲において（局所的に）発生している。
【００１６】
ここで、図７（ｂ）に示す従来のバスレフポート２０Ｂの開口端２８Ｂ（内側端）近傍の内壁における気体の流れについて図５を参照して詳細に説明する。図５（ａ）は、開口端２８Ｂにおける管軸に垂直な断面図であり、図５（ｂ）は、図５（ａ）におけるＣ−Ｃ’線断面図であり、図５（ｃ）は、図５（ａ）におけるＤ−Ｄ’線断面図であり、図５（ｄ）は、図５（ａ）におけるＣ−Ｃ’線断面から図５（ａ）の左側の内壁を見たときの側面図である。
【００１７】
図５（ａ）に示すように、従来のバスレフポート２０Ｂの開口端２８Ｂにおける内壁の断面は円形である。図５（ｂ）は、図５（ａ）に示すバスレフポート２０Ｂの管軸を含む平面であって、開口端２８Ｂの内周方向の位置φ１およびφ７を含む平面でバスレフポート２０Ｂを切った縦断面構造を示している。図５（ｂ）に示すように、バスレフポート２０Ｂの内部からバスレフポート２０Ｂの外部（エンクロージャ内部）に気体が流れるとき、バスレフポート２０Ｂの開口端２８Ｂ近傍における内壁近傍の気体は内壁に沿って流れる。このとき、開口端２８Ｂ近傍では、流れの下流に行くほど流域が広くなるため下流の圧力が高くなる逆圧力勾配が形成される。逆圧力勾配が形成された内壁近傍の気体の流れは、内壁との摩擦でエネルギーを失い圧力に打ち勝って下流に流れることが困難となりバスレフポート２０Ｂの内壁から剥離する。そして、気体の流れが内壁から剥離する位置から下流の内壁近傍では逆流が発生し乱流（渦）となる。この内壁から気体の流れが剥離する位置は、下流方向に沿った流域の拡大の程度などの各種の条件により決まる。図５（ｂ）では、バスレフポート２０Ｂの管軸方向の位置Ｌ０において気体の流れがバスレフポート２０Ｂの内壁から剥離し、乱流（渦）となる領域５２Ｂが生じている。
【００１８】
図５（ｃ）は、図５（ａ）に示すバスレフポート２０Ｂの管軸を含む平面であって、開口端２８Ｂの内周方向の位置φ０およびφ６を含む平面でバスレフポート２０Ｂを切った縦断面構造を示している。開口端２８Ｂの断面は円形であるため、図５（ｃ）に示す断面は図５（ｂ）に示す断面と同じになる。このため、図５（ｃ）も図５（ｂ）と同様に、バスレフポート２０Ｂの管軸方向の位置Ｌ０において、気体の流れがバスレフポート２０Ｂの内壁から剥離し、乱流（渦）となる領域５２Ｂが生じる。
【００１９】
図５（ｄ）では、図５（ａ）の内周方向の位置φ１〜φ７に対応する位置φ１〜φ７をＣ−Ｃ’線の左側に示している。開口端２８Ｂの断面は円形であるため、内周方向の位置φ１〜φ７における断面は図５（ｂ）および（ｃ）と同様となり、内周方向の位置φ１〜φ７における乱流（渦）となる領域５２Ｂは、バスレフポート２０Ｂの管軸方向の同じ位置Ｌ０に生じることとなる。すなわち、内周方向の全域でみても、従来のバスレフポート２０Ｂでは、乱流（渦）となる領域が管軸方向の狭い範囲に局所的に分布している。
【００２０】
気体の流れの乱れ（渦）が狭い範囲において発生している領域では、同時刻に略同位置にほぼ位相が揃った気体の流れの乱れ（渦）が発生するため、この領域全体として気体の流れの乱れ（渦）の大きさ（強さ）が大きくなっている。これにより、バスレフポートの管共鳴が強く励振され、その結果、バスレフポートから大きな異音が発生する。従って、気体の流れの乱れ（渦）が局所的に発生するのを防止することができれば、バスレフポートの管共鳴の励振が抑制され、結果として、異音を低減することができる。そこで、本実施形態による音響装置１では、バスレフポート２０の内側端（エンクロージャ１０の内部に位置する開口端）近傍の形状を花冠形状とした。
【００２１】
次に、本実施形態による音響装置１のバスレフポート２０の開口端２８近傍の気体の流れについて説明する。音響装置１のスピーカユニットＳＰに駆動信号を供給してスピーカユニットＳＰを動作させると、スピーカユニットＳＰの背面の気体が振動し、バスレフポート２０を介してエンクロージャ１０の内外に気体が移動する。図４は、バスレフポート２０の内部の気体がエンクロージャ１０の内部に吸引されるときのバスレフポート２０の開口端２８近傍における気体の流れを示す斜視図である。図４に示すように、バスレフポート２０の開口端２８近傍の気体は、花冠形状をなしている内壁に沿って流れる。
【００２２】
ここで、本実施形態によるバスレフポート２０の開口端２８近傍の内壁近傍における気体の流れについて図６を参照して詳細に説明する。図６（ａ）は、開口端２８における管軸に垂直な断面図であり、図６（ｂ）は、図６（ａ）におけるＡ−Ａ’線断面図であり、図６（ｃ）は、図６（ａ）におけるＢ−Ｂ’線断面図であり、図６（ｄ）は、図６（ａ）におけるＡ−Ａ’線断面から図６（ａ）の左側の内壁を見たときの側面図である。なお、図６では、内周方向に沿った曲率の増減の繰り返し回数を図２および図４のそれと異なるように表示しているが、これは説明の便宜のためである。
【００２３】
図６（ａ）に示すように、本実施形態によるバスレフポート２０の開口端２８における内壁の断面は、管軸から内壁をみたときに、内壁が管軸から遠ざかる方向に張り出して凸状となっている部分と、内壁が管軸方向に落ち込んで凹状となっている部分とが内壁の内周方向に沿って繰り返されている形状である。すなわち、開口端２８の断面において、管軸を中心とした破線で示す円の外側に張り出して凸状となっている内壁の曲率中心は当該内壁からみて管軸側に位置し、当該内壁の内周方向に沿った曲率は正の値を示している。また、管軸を中心とした破線で示す円の内側に落ち込んで凹状となっている内壁の曲率中心は当該内壁からみて管軸と反対側に位置し、当該内壁の内周方向に沿った曲率は負の値を示している。図６（ｂ）は、図６（ａ）に示す開口端２８の内周方向の位置θ１およびθ７における管軸方向の内壁を示している。図６（ａ）および（ｂ）に示すように、内周方向の位置θ１およびθ７は、管軸から内壁をみたときに内壁が凸状となっている部分であり、開口端２８が広く外側に広がる位置である。このため、内周方向の位置θ１およびθ７では、バスレフポート２０の中央側から開口端２８側に向かって気体の流路の拡大の程度が大きくなっている。このため、内周方向の位置θ１およびθ７では、図６（ｂ）に示すように、管軸方向の位置Ｌ１において内壁近傍の気体の流れが内壁から剥離し、乱流（渦）となる領域５２が生じる。
【００２４】
また、内周方向の位置θ３およびθ５では、位置θ１およびθ７と同様に、管軸から内壁をみたときに内壁が凸状となっている部分であるため、図６（ｂ）と同様な管軸方向の位置Ｌ１において乱流となる領域５２が生じる。
【００２５】
一方、図６（ｃ）は、図６（ａ）に示す開口端２８の内周方向の位置θ０およびθ６における管軸方向の内壁を示している。図６（ａ）および（ｃ）に示すように、内周方向の位置θ０およびθ６は、管軸から内壁をみたときに内壁が凹状となっている部分であり、開口端２８が狭く外側に広がる位置である。このため、内周方向の位置θ０およびθ６では、バスレフポート２０の中央側から開口端２８側に向かって気体の流路の拡大の程度が小さくなっている。このため、内周方向の位置θ０およびθ６では、図６（ｃ）に示すように、管軸方向の位置Ｌ２において内壁近傍の気体の流れが内壁から剥離し、乱流（渦）となる領域５２が生じる。
【００２６】
また、内周方向の位置θ２およびθ４では、位置θ０およびθ６と同様に、管軸から内壁をみたときに内壁が凹状となっている部分であるため、図６（ｃ）と同様な管軸方向の位置Ｌ２において乱流となる領域５２が生じる。
【００２７】
図６（ｄ）では、図６（ａ）の内周方向の位置θ１〜θ７に対応する位置θ１〜θ７をＡ−Ａ’線の左側に示している。図６（ｄ）に示すように、乱流（渦）となる領域５２は、管軸から見た内壁が凸状となっている位置θ１、θ３、θ５およびθ７では管軸方向の位置Ｌ１に生じ、管軸から見た内壁が凹状となっている位置θ０、θ２、θ４およびθ６では管軸方向の位置Ｌ２に生じ、これら内周方向の位置θ０〜θ７の各間の位置では、管軸方向の位置Ｌ１およびＬ２の間の位置に生じる。すなわち、乱流（渦）となる領域５２は、内周方向に沿った曲率（換言すると、曲率中心の位置または曲率の正負）に対応した管軸方向の位置に生じ、管軸方向を振幅とし内周方向を進行方向とした波形状に分布する。このため、内周方向の全域でみると、本実施形態によるバスレフポート２０の開口端２８近傍では、乱流（渦）となる領域５２が管軸方向の広い範囲に分布することとなる。
【００２８】
次に、開口端近傍における管軸に垂直な断面が矩形および楕円である従来のバスレフポートとの相違について説明する。断面が矩形である従来のバスレフポートは、内壁の内周方向に沿った曲率は各辺において一定の値となり、上述した断面が円形である従来のバスレフポートと同様である。また、断面が楕円形である従来のバスレフポートは、内壁の内周方向に沿った曲率は変化するが、その曲率の変化の程度は小さく、また、内壁の曲率中心の位置が内壁からみて管軸と反対側に位置することがなく、管軸からみた内壁が凹状となることはない。このため、楕円形の場合、内周方向に沿った曲率は内周方向に近い値が連続するため、乱流（渦）となる領域が生じる管軸方向の位置が大きく変化することがない。これにより、楕円形の場合、内周方向の各位置における乱流（渦）となる領域は管軸方向の同様な位置に局所的に発生し易いと考えられる。これに対して、本実施形態によるバスレフポート２０では、開口端２８近傍の内壁の内周方向に沿った曲率を繰り返し増減させ、開口端２８近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されているため、この内周方向に沿った曲率は大きく変化する。このため、乱流（渦）となる領域が生じる管軸方向の位置が大きく変化することになる。これにより、本実施形態によるバスレフポート２０では、乱流（渦）となる領域５２が管軸方向の広い範囲に分布する。
【００２９】
このように、本実施形態による音響装置１では、バスレフポート２０の開口端２８近傍の内壁の形状を、バスレフポート２０の内壁により囲まれた空間の管軸に垂直な断面の面積が当該バスレフポート２０の開口端２８に近づくに従って徐々に広がり、かつ、内壁の曲率を内周方向に沿って繰り返し増減させ、開口端２８近傍の管軸に垂直な断面において管軸から内壁をみたときに、内壁が管軸から遠ざかる方向に張り出して凸状となっている部分と、内壁が管軸方向に落ち込んで凹状となっている部分とが内壁の内周方向に沿って繰り返されている花冠形状とすることにより、バスレフポート２０を介した気体の流路において乱流（渦）となる領域が局所的に発生することを防止している。このため、バスレフポート２０における気体の吸引および吐出に起因する異音の発生を低減することができる。
【００３０】
＜他の実施形態＞
以上、この発明の一実施形態について説明したが、この発明には他にも実施形態が考えられる。例えば次の通りである。
【００３１】
（１）上記実施形態による音響装置１のバスレフポート２０では、内壁の形状を内周方向に沿って変化させた例として花冠形状を示したが、これに限られない。要は、バスレフポート２０の開口端２８近傍において内壁の内周方向に沿った曲率を繰り返し増減させた形状とすれば良い。また、内壁の内周方向に沿った曲率の増減の繰り返し間隔（管軸からみた内壁の凹凸の繰り返し間隔）は内周方向に沿って一定でなくても良く、その曲率の増減の繰り返し回数（管軸からみた内壁の凹凸の繰り返しの回数）は１または複数回であれば良い。
【００３２】
（２）バスレフポート２０の開口端２８近傍の形状を花冠形状とし、さらに、開口端２８近傍の断面を点対称および軸対称ではない形状としても良い。開口端２８近傍の断面を点対称および軸対称ではない形状とすることで、乱流（渦）となる領域５２を管軸方向の広い範囲により確実に分布させることができる。
【００３３】
（３）上記実施形態による音響装置１のバスレフポート２０では、開口端２８近傍の形状を花冠形状とした。しかし、開口端２９近傍の形状を花冠形状としても良いし、開口端２８近傍と開口端２９近傍の両方の形状を花冠形状としても良い。例えば、開口端２８近傍と開口端２９近傍の両方の形状を花冠形状とすることにより、より確実に乱流（渦）となる領域を広い範囲に分布させることができ、異音の発生をより確実に抑制することができる。
【００３４】
（４）上記実施形態において、バスレフポート２０の管軸は直線であったが、これに限られない。例えば、バスレフポート２０の中央付近において管軸が曲がっていても良い。
【００３５】
（５）上記実施形態において、バスレフポート２０の開口端２８は、管軸に直交する面に接していた。しかし、例えば、エンクロージャ１０の内部に位置する開口端２８は、管軸に直交する面に対して傾けた面に接するようにしても良い。
【００３６】
（６）上記実施形態による音響装置１のバスレフポート２０のストレート部２２は、管軸に垂直な面において円形断面を有していた。しかし、バスレフポート２０のストレート部２２は円形断面を有する構造に限られない。例えば、バスレフポート２０のストレート部２２の断面形状を矩形としても良い。
【００３７】
（７）上記実施形態において、バスレフポート２０は、ストレート部２２とフレア部２４および２５とに区分されていたが、ストレート部２２を設けずに中央から両端に向かうに従って断面積が連続的に大きくなるようにしても良い。
【００３８】
（８）本発明の技術的思想の特徴は、バスレフポート２０のように気体の流路となる管体から発生する異音を低減する手段にあり、気体の流路となる管体の開口端近傍において、管体の内壁により囲まれた空間の管軸に垂直な断面の面積が当該管体の開口端に近づくに従って徐々に広がり、さらに、内壁の曲率を内周方向に沿って繰り返し増減させた点にある。このため、この発明は、例えば２輪車および４輪車などのマフラーや空調の吸気排気ダクトや楽器などに応用することができる。
【符号の説明】
【００３９】
１…音響装置、１０…エンクロージャ、１１…前面、１８，２１…開口部、２０，２０Ａ，２０Ｂ…バスレフポート、２２…ストレート部、２４，２５…フレア部、２８，２８Ｂ，２９…開口端、５２，５２Ｂ…乱流となる領域、ＳＰ…スピーカユニット。
【図１】
2014179934.tif 000003
【図２】
2014179934.tif 000004
【図３】
2014179934.tif 000005
【図４】
2014179934.tif 000006
【図５】
2014179934.tif 000007
【図６】
2014179934.tif 000008
【図７】
2014179934.tif 000009